(57)【要約】【課題】アークの方向を偏向させてコンタクトの損傷を防ぐ構成を利用して、火災に至るアーク放電の連続発生を防止するソケットのアーク放電防止構造を提供する。【解決手段】プラグピンとソケットコンタクトが接離する接離領域にアークの方向を偏向させる磁場を形成する一組の永久磁石の少なくとも一部を、プラグ挿入孔が開口するソケットハウジングの開口面側に臨ませ、プラグの磁性体を吸引してプラグピンをソケットコンタクトと活線接続する接続位置まで付勢する。【選択図】図２
2018055994.tif 000002
【特許請求の範囲】
【請求項１】
プラグのプラグピンを挿抜自在に案内するプラグ挿入孔が凹設されたソケットハウジングと、
ソケットハウジングに取付けられ、プラグ挿入孔に挿入されるプラグピンと活線接続するソケットコンタクトと、
プラグピンとソケットコンタクトが接離する接離領域を挟み、一方のＳ極と他方のＮ極が対向する向きでソケットハウジングに取付けられる一組の永久磁石とを備え、
前記一組の永久磁石の少なくとも一部は、プラグ挿入孔が開口するソケットハウジングの開口面側に配置され、プラグの磁性体を吸引して、プラグ挿入孔に挿入されるプラグピンをソケットコンタクトと活線接続する接続位置まで付勢することを特徴とするソケットのアーク放電防止構造。
【請求項２】
一組の永久磁石は、それぞれプラグピンの挿抜方向を長手方向とする縦長で、一端が前記開口面側に、他端が前記挿抜方向に直交する前記接離領域の側方に配置されることを特徴とする請求項１に記載のソケットのアーク放電防止構造。
【請求項３】
プラグの磁性体を吸引する吸引力は、プラグ挿入孔に挿入されるプラグピンとソケットコンタクトが近接するプラグピンの中間挿入位置で、プラグとソケット間に生じる最大静止摩擦力より大きいことを特徴とする請求項１又は請求項２に記載のソケットのアーク放電防止構造。
【請求項４】
プラグの磁性体は、永久磁石であり、前記ソケットハウジングの開口面に対向する側の磁極は、プラグピンが対応するソケットコンタクトに向かってプラグ挿入孔に挿入されるプラグの正規接続姿勢で、ソケット側の永久磁石と吸着する磁極であることを特徴とする請求項１乃至請求項３のいずれか１項に記載のソケットのアーク放電防止構造。
【発明の詳細な説明】
【技術分野】
【０００１】
本発明は、活線接続するプラグピンとソケットコンタクトが接離する瞬間に発生するアーク放電を防止するソケットのアーク放電防止構造に関する。
【背景技術】
【０００２】
高電圧、高電流の電力を送電する電力線などの端末に接続するソケットのソケットコンタクトにプラグのプラグピンを活線接続し、プラグに接続する電気機器に電源を供給する際には、プラグピンをソケットコンタクトに接離する瞬間の近接する両者の間に高い電気エネルギーが蓄積され、その間にアーク放電が発生する。このようなアーク放電は、誘導性負荷に接続するプラグピンを、電力線に接続するソケットのソケットコンタクトから引き抜く際に生じる誘導起電力によっても発生する。
【０００３】
アーク放電は、プラグのプラグピンやソケットコンタクトが溶損する等、劣化を早める原因となるので、その発生を抑制したり、アーク放電による影響を減じる種々の方法が従来から提案され、例えば、特許文献１に開示されている方法は、一対のコンタクトの対向方向と直交方向に永久磁石を配置して磁場をかけ、ローレンツ力によりアークの方向を偏向させてアーク放電によるコンタクトの損傷を防いでいる。
【先行技術文献】
【特許文献】
【０００４】
【特許文献１】特開２０１０−５６０５５号公報
【発明の概要】
【発明が解決しようとする課題】
【０００５】
しかしながら特許文献１に示される第１の方法は、アーク放電自体の発生を防止するものではないので、アーク放電による電磁ノイズが負荷などの電子回路に悪影響を及ぼし、本質的な解決手段とはなっていない。
【０００６】
また、一般にソケットに接続しているプラグが簡単に引き抜かれないように、プラグピンをソケットコンタクトに活線接続する接続位置までソケットのプラグ挿入孔へ挿入すると両者を係合するロック機構が設けられているが、接続位置に達する前のプラグ挿入孔内の中間挿入位置でプラグへの挿抜去力を解くと、ハーフロックの状態やプラグとソケットの静止摩擦力によってプラグピンとソケットコンタクトが近接する位置でプラグが停止し、その結果アーク放電を発生させる状態が長時間が連続してプラグやソケットが加熱され、火災発生の危険があった。
【０００７】
本発明は、このような従来の問題点を考慮してなされたものであり、アークの方向を偏向させてコンタクトの損傷を防ぐ構成を利用して、火災に至るアーク放電の連続発生を未然に防止するソケットのアーク放電防止構造を提供することを目的とする。
【課題を解決するための手段】
【０００８】
上述の目的を達成するため、請求項１に記載のソケットのアーク放電防止構造は、プラグのプラグピンを挿抜自在に案内するプラグ挿入孔が凹設されたソケットハウジングと、ソケットハウジングに取付けられ、プラグ挿入孔に挿入されるプラグピンと活線接続するソケットコンタクトと、プラグピンとソケットコンタクトが接離する接離領域を挟み、一方のＳ極と他方のＮ極が対向する向きでソケットハウジングに取付けられる一組の永久磁石とを備え、一組の永久磁石の少なくとも一部は、プラグ挿入孔が開口するソケットハウジングの開口面側に配置され、プラグの磁性体を吸引して、プラグ挿入孔に挿入されるプラグピンをソケットコンタクトと活線接続する接続位置まで付勢することを特徴とする。
【０００９】
プラグピンとソケットコンタクトが接離する接離領域では、両者がプラグピンの挿抜方向で近接してその間にアーク放電が発生しやすいが、近接する方向に直交する方向に一組の永久磁石による磁場が形成されるので、アークの方向が磁場で偏向される。
【００１０】
プラグピンとソケットコンタクトが接触せずに近接するプラグピンの中間挿入位置で、プラグの磁性体が一組の永久磁石の少なくとも一部に吸引され、プラグピンがソケットコンタクトと活線接続する接続位置まで付勢されるので、アーク放電が発生する位置で停止しない。
【００１１】
請求項２に記載のソケットのアーク放電防止構造は、一組の永久磁石が、それぞれプラグピンの挿抜方向を長手方向とする縦長で、一端が開口面側に、他端が挿抜方向に直交する接離領域の側方に配置されることを特徴とする。
【００１２】
一組の永久磁石が、プラグピンの挿抜方向を長手方向とする縦長で、他端が挿抜方向に直交する接離領域の側方に配置されるので、アーク放電が発生する接離領域でアークの方向と直交する方向に最も強い磁場が発生する。
【００１３】
請求項３に記載のソケットのアーク放電防止構造は、プラグの磁性体を吸引する吸引力は、プラグ挿入孔に挿入されるプラグピンとソケットコンタクトが近接するプラグピンの中間挿入位置で、プラグとソケット間に生じる最大静止摩擦力より大きいことを特徴とする。
【００１４】
プラグピンとソケットコンタクトが接触せずに近接するプラグピンの中間挿入位置で、プラグとソケット間の静止摩擦力に磁石による吸着力が上回るので、プラグピンが静止することがない。
【００１５】
請求項４に記載のソケットのアーク放電防止構造は、プラグの磁性体は、永久磁石であり、ソケットハウジングの開口面に対向する側の磁極は、プラグピンが対応するソケットコンタクトに向かってプラグ挿入孔に挿入されるプラグの正規接続姿勢で、ソケット側の永久磁石と吸着する磁極であることを特徴とする。
【００１６】
正規接続姿勢以外の姿勢でプラグピンをプラグ挿入孔へ挿入すると、開口面で対向するプラグとソケットの永久磁石の磁極が同一となり、対向する永久磁石間に斤力が発生する。
【発明の効果】
【００１７】
請求項１の発明によれば、アークの方向が磁場で偏向され、プラグピンやソケットコンタクトの損傷が防止される。
【００１８】
また、アークの方向を偏向させる一組の永久磁石を利用して、プラグピンをアーク放電が発生しやすい中間挿入位置で停止させないので、その為の別の構成を設けることなく、アーク放電が連続して発生することによる火災の発生を未然に防止できる。
【００１９】
請求項２の発明によれば、プラグピンを接続位置まで吸引する永久磁石で、アーク放電が発生する接離領域に最大の磁場を発生させることができ、効果的にアークを偏向させることができる。
【００２０】
請求項３の発明によれば、プラグピンとソケットコンタクトが近接する中間挿入位置でプラグピンが静止せず、アーク放電が連続して発生する状態を確実に防止できる。
【００２１】
請求項４の発明によれば、誤接続姿勢でプラグピンをプラグ挿入孔へ挿入しようとすると、開口面で対向するプラグとソケット間に対向する永久磁石による挿入方向と逆方向の斤力が発生するので、正規接続姿勢でのみプラグピンをプラグ挿入孔へ挿入できる。
【図面の簡単な説明】
【００２２】
【図１】本発明の一実施の形態に係るソケットのアーク放電防止構造１のソケット１０と、ソケット１０に接続する前のプラグ２０を示す横断面図である。
【図２】プラグ２０の＋側プラグピン２１をソケット１０の＋側ソケットコンタクト１１に近接する中間挿入位置まで挿入した状態を示す横断面図である。
【図３】プラグ２０の＋側プラグピン２１をソケット１０の＋側ソケットコンタクト１１に活線接続する接続位置まで挿入した状態を示す横断面図である。
【図４】ソケット１０に対して誤接続姿勢で一対のプラグピン２１、２２を一対のプラグ挿入孔１３、１４へ挿入しようとするプラグ２０を示す横断面図である。
【発明を実施するための形態】
【００２３】
以下、本発明の第１実施の形態に係るソケットのアーク放電防止構造１を、図１乃至図４を用いて説明する。ソケットのアーク放電防止構造１は、ソケット１０の一対のソケットコンタクト１１、１２に対応するプラグ２０の一対のプラグピン２１、２２が活線接続する構造であり、本明細書では、各図の図示する方向に合わせて、プラグ２０をソケット１０のプラグ挿入孔１３、１４へ挿入する挿入方向を下方と、プラグ挿入孔１３、１４から引き抜く抜去方向を上方と、図示の左右方向を左右方向として各部を説明する。
【００２４】
ソケット１０は、上面１５ａからプラグ２０の一対のプラグピン２１、２２を挿抜する一対の＋側プラグ挿入孔１３と−側プラグ挿入孔１４が凹設された絶縁性のソケットハウジング１５と、ソケットハウジング１５に取付けられた一対の＋側ソケットコンタクト１１及び−側ソケットコンタクト１２と、上面１５ａに上端が露出してソケットハウジング１５に埋設されている一対の＋側永久磁石２及び−側永久磁石３とを備えている。
【００２５】
＋側ソケットコンタクト１１は、燐青銅、黄銅等の銅合金の金属板をプレス加工して細長帯状に形成され、ソケットハウジング１５に鉛直方向に固着され、下端がソケットハウジング１５の下面から下方に突出する脚部１１ａと、脚部１１ａの上端から左向きにＵ字状に屈曲し、自由端が＋側プラグ挿入孔１３の内奥の下部に突出する接触部１１ｂとからなっている。＋側ソケットコンタクト１１の接触部１１ｂが突出する＋側プラグ挿入孔１３内の突出位置は、＋側プラグ挿入孔１３に挿入される＋側プラグピン２１が接触部１１ｂに当接してから、プラグ２０側のプラグハウジング２３の下面２３ａと対向する上面１５ａとが当接する接続位置まで所定の接触ストロークδ１で＋側ソケットコンタクト１１に弾性接触する位置に設定される。
【００２６】
−側ソケットコンタクト１２も燐青銅、黄銅等の銅合金の金属板をプレス加工して細長帯状に形成され、−側プラグ挿入孔１４の側方に沿ってソケットハウジング１５に鉛直方向に固着され、下端がソケットハウジング１５の下面から下方に突出する脚部１２ａと、脚部１２ａの上方で下向きＵ字状に折り返され、自由端が−側プラグ挿入孔１４の内側面の中間位置から突出する接触部１２ｂとからなっている。
【００２７】
＋側ソケットコンタクト１１の脚部１１ａと−側ソケットコンタクト１２の脚部１２ａは、ソケット１０が実装される回路基板３１の電源パターンに半田付けされ、それぞれ図示しない直流電源電力線を介して、例えば４８Ｖ、２Ａの９６Ｗの直流電力を出力する直流電源の高圧側と低圧側に接続している。
【００２８】
一対の＋側永久磁石２及び−側永久磁石３は、縦長のロッド状であり、図示するように、一方の＋側永久磁石２は、＋側プラグ挿入孔１３の左側のソケットハウジング１５に鉛直方向に埋設され、上面１５ａに露出する上端部はここではＳ極と、接触部１１ｂの左側まで埋設された下端部はＮ極となっている。また、他方の−側永久磁石３は、一対の＋側プラグ挿入孔１３及び−側プラグ挿入孔１４を挟んで、＋側永久磁石２と対称位置となる−側プラグ挿入孔１４の右側のソケットハウジング１５に鉛直方向に埋設され、＋側永久磁石２との間に水平方向の磁場が形成されるように、上面１５ａに露出する上端部はＮ極と、接触部１１ｂの深さまで埋設された下端部はＳ極となっている。従って、＋側プラグピン２１が＋側ソケットコンタクト１１の接触部１１ｂに近接する接離領域には、＋側永久磁石２の下端部のＮ極から−側永久磁石３の下端部のＳ極に向かう磁力線による磁場が常時生じている。
【００２９】
ソケット１０に接続するプラグ２０は、絶縁性のプラグハウジング２３と、プラグハウジング２３に取付けられた一対の＋側プラグピン２１及び−側プラグピン２２と、プラグハウジング２３の下面２３ａに下端が露出してプラグハウジング２３に鉛直方向に埋設されている一対の＋側永久磁石４及び−側永久磁石５とを備えている。
【００３０】
プラグハウジング２３に取付けられた一対の＋側プラグピン２１と−側プラグピン２２は、それぞれプラグハウジング２３の下面２３ａからソケット１０側の一対の＋側プラグ挿入孔１３と−側プラグ挿入孔１４に向かって下方に突出するようにプラグハウジング２３に一体に固定され、各上端がプラグハウジング２３内で図示しない電源ケーブルの端末に接続することにより、＋側プラグピン２１は、直流電源電力線の電源で動作する電気機器の高圧側電源端子に、−側プラグピン２２は低圧側電源端子に接続している。
【００３１】
プラグハウジング２３の下面２３ａから突出する一対の＋側プラグピン２１と−側プラグピン２２の突出長さは同一で、その突出長さは、＋側プラグピン２１を対応するソケット１０の＋側プラグ挿入孔１３へ挿入し、その下端が＋側プラグ挿入孔１３内に臨む＋側ソケットコンタクト１１の接触部１１ｂに接触する挿入位置で、プラグハウジング２３の下面２３ａとソケットハウジング１５の上面１５ａとの間隔が上記接触ストロークδ１に等しくなる長さとなっている。これにより、一対のプラグピン２１、２２を一対のプラグ挿入孔１３、１４へ挿入する過程では、−側プラグピン２２が−側ソケットコンタクト１２の接触部１２ｂに摺動接触した後、＋側プラグピン２１が＋側ソケットコンタクト１１の接触部１１ｂに接触し、更に、接触ストロークδ１で挿入してプラグ２０の下面２３ａがソケット１０の上面１５ａに当接する＋側プラグピン２１の接続位置で、＋側プラグピン２１と＋側ソケットコンタクト１１とが活線接続する。
【００３２】
一対の＋側永久磁石４と−側永久磁石５は、一対のプラグピン２１、２２を挟んで、左右の対称位置にそれぞれの下端部がプラグハウジング２３の下面２３ａに露出して埋設されている。従って、一対のプラグピン２１、２２を対応する一対のプラグ挿入孔１３、１４へ挿入すると、プラグハウジング２３の下面２３ａに露出する一対の永久磁石４、５の下端部が、対向するソケットハウジング１５の上面１５ａに露出する一対の永久磁石２、３の上端部に対向する。
【００３３】
このうち、＋側プラグピン２１の左側に埋設された＋側永久磁石４の下端部はＮ極と、−側プラグピン２２の右側に埋設された−側永久磁石５の下端部はＳ極となっているので、＋側プラグピン２１を＋側ソケットコンタクト１１が臨む＋側プラグ挿入孔１３へ、−側プラグピン２２を−側ソケットコンタクト１２が臨む−側プラグ挿入孔１４へそれぞれ挿入する図１乃至図３に示すプラグ２０の正規接続姿勢では、対向する＋側永久磁石２と＋側永久磁石４及び対向する−側永久磁石３と−側永久磁石５の磁極が異なり、一対のプラグピン２１、２２を対応する一対のプラグ挿入孔１３、１４へ挿入する挿入方向の吸引力が働く。
【００３４】
一方、＋側プラグピン２１を−側ソケットコンタクト１２が臨む−側プラグ挿入孔１４へ、−側プラグピン２２を＋側ソケットコンタクト１１が臨む＋側プラグ挿入孔１３へそれぞれ挿入しようとする図４に示すプラグ２０の誤接続姿勢では、対向する＋側永久磁石２と−側永久磁石５及び対向する−側永久磁石３と＋側永久磁石４の磁極が同一となり、一対のプラグピン２１、２２を挿入しようとする一対のプラグ挿入孔１３、１４から排出する抜去方向の斤力が働く。その結果、一対のプラグピン２１、２２を誤って極性の異なるソケットコンタクト１１、１２へ接触させることがない。
【００３５】
以下、正規接続姿勢のプラグ２０のプラグピン２１、２２をソケット１０のプラグ挿入孔１３、１４へ挿抜する挿抜過程中の作用について説明する。図１に示すプラグ２０の正規接続姿勢で＋側プラグピン２１を＋側プラグ挿入孔１３へ、−側プラグピン２２を−側プラグ挿入孔１４へそれぞれ挿入すると、始めに、−側プラグ挿入孔１４の中間位置に接触部１２ｂを臨ませた−側ソケットコンタクト１２と−側プラグピン２２が接触し、その後、−側プラグピン２２の挿入にともなって−側ソケットコンタクト１２の接触部１２ｂが摺動接触する。
【００３６】
図２に示すプラグ２０の下面２３ａとソケット１０の上面１５ａ間の間隔が上記接触ストロークδ１よりわずかに長い間隔δ２まで、プラグピン２１、２２を挿入した中間挿入位置では、＋側プラグピン２１が＋側ソケットコンタクト１１の接触部１１ｂに近接する接離領域に達する。ここで近接する＋側プラグピン２１と＋側ソケットコンタクト１１の接触部１１ｂ間の電位差をＶ、近接する両者の絶縁間隔を隔てて両者に流れる電流をＩとして、両者の間に蓄積される電気エネルギーＥ（Ｅ＝∫Ｖ・Ｉｄｔ）が一定の境界値を超えると、その間にアーク放電が発生する。アーク放電が発生する境界条件は、＋側プラグピン２１や接触部１１ｂの材質、形状、周囲の環境、絶縁間隔によって異なるが、例えば、電位差Ｖが２５Ｖ、電流Ｉが２Ａを超える場合にアーク放電が発生すると考えられている。
【００３７】
本実施の形態では、＋側ソケットコンタクト１１と−側ソケットコンタクト１２の間に４８Ｖ、２Ａの９６Ｗの直流電力を出力する直流電源が接続し、この＋側プラグピン２１の中間挿入位置では、−側プラグピン２２が−側ソケットコンタクト１２に接続し、＋側プラグピン２１の電位は−側ソケットコンタクト１２の電位にほぼ等しいので、＋側プラグピン２１と＋側ソケットコンタクト１１間の電位も４８Ｖと考えられ、＋側プラグピン２１が＋側ソケットコンタクト１１の接触部１１ｂに近接する接離領域に達すると、両者の間に蓄積される電気エネルギーＥが上記アーク放電を発生させる電気エネルギーＥを越えてアーク放電が発生する。
【００３８】
しかしながら、この＋側プラグピン２１と＋側ソケットコンタクト１１の接触部１１ｂが近接する接離領域には、＋側永久磁石２の下端部のＮ極から−側永久磁石３の下端部のＳ極に向かう磁力線による磁場が、＋側プラグピン２１と接触部１１ｂ間の方向（アーク放電の発生方向）に対して直交する方向に生じているので、アークの方向が直交方向に偏向され、アーク放電による＋側プラグピン２１や＋側ソケットコンタクト１１の損傷が減じられ、アーク放電経路も長くなるのでアーク放電の発生自体も抑制される。
【００３９】
また、プラグ２０の下面２３ａとソケット１０の上面１５ａ間の間隔が図２に示す間隔δ２以下となった場合には、プラグハウジング２３とソケットハウジング１５の間や−側プラグピン２２と−側ソケットコンタクト１２の接触部１２ｂ間の接触によるプラグ２０とソケット１０間の静止摩擦力より、＋側永久磁石２と＋側永久磁石４及び−側永久磁石３と−側永久磁石５間の磁力による吸引力が勝り、図２に示す中間挿入位置でプラグ２０への挿入力を解いても、＋側プラグピン２１はアーク放電が発生しやすい中間挿入位置で静止することなく、プラグ２０の下面２３ａとソケット１０の上面１５ａが当接する接続位置まで付勢される。
【００４０】
上述の通り、アーク放電の発生は、＋側プラグピン２１と＋側ソケットコンタクト１１の接触部１１ｂ間の絶縁間隔に依存するので、アーク放電が発生し始める絶縁間隔の境界値で、少なくともプラグ２０とソケット１０間の静止摩擦力に永久磁石２、３による吸引力が勝るように、対向する永久磁石４、５との距離や磁力を調整するのが好ましい。
【００４１】
＋側プラグピン２１の中間挿入位置から更に＋側プラグ挿入孔１３内に挿入し、＋側ソケットコンタクト１１の接触部１１ｂに接触した後、δ１の接触ストロークまで下方へ挿入すると、図３に示すように、プラグ２０の下面２３ａとソケット１０の上面１５ａが当接し、＋側プラグピン２１は接続位置に達する。この接続位置で、−側プラグピン２２と−側ソケットコンタクト１２が接続しているので、＋側プラグピン２１と＋側ソケットコンタクト１１の接触部１１ｂは所定の接触圧で弾性接触し、活線接続する。その結果、ソケット１０に接続する直流電源から４８Ｖ、２Ａの９６Ｗの直流電力がプラグ２０に接続する電気機器へ供給される。
【００４２】
フラグ２０をソケット１０から引き抜く際には、図３に示す＋側プラグピン２１の接続位置からプラグ２０を上方へ引き抜き、上記挿入順と逆に、＋側プラグピン２１と＋側ソケットコンタクト１１及び−側プラグピン２２と−側ソケットコンタクト１２間の接続が解かれる。プラグ２０を引き抜く過程においても、＋側プラグピン２１が＋側ソケットコンタクト１１の接触部１１ｂが近接する接離領域に入り、アーク放電が発生する恐れがあるが、挿入過程と同様に、直交方向に＋側永久磁石２の下端部から−側永久磁石３の下端部に向かう磁力線による磁場が生じているので、アークの方向が偏向され、アーク放電による＋側プラグピン２１や＋側ソケットコンタクト１１の損傷が減じられ、若しくはアーク放電の発生自体が抑制される。
【００４３】
また、＋側プラグピン２１の中間挿入位置でプラグ２０の抜去力を解いても、＋側永久磁石２と＋側永久磁石４及び−側永久磁石３と−側永久磁石５間の磁力による吸引力が、プラグ２０とソケット１０間の静止摩擦力に勝るので、＋側プラグピン２１は＋側ソケットコンタクト１１の接触部１１ｂが弾性接触する接続位置まで戻される。従って、＋側プラグピン２１は、＋側ソケットコンタクト１１の接触部１１ｂとアーク放電が発生しやすい中間挿入位置で停止しない。
【００４４】
上述の実施の形態では、プラグ２０にも永久磁石４、５を設けたが、ソケット１０に取付ける永久磁石２、３でプラグ２０を挿入方向に吸引できれば、プラグ２０側には永久磁石２、３で磁化される鉄板などの磁性体を取付けてもよい。
【００４５】
また、プラグ２０に取付けられる＋側永久磁石２及び−側永久磁石３の上部とソケット１０に取付けられる＋側永久磁石４及び−側永久磁石５の下部を、対向面となるソケットハウジング１５の上面１５ａとプラグハウジング２３の下面２３ａに露出させているが、プラグ２０とソケット１０間を磁力で吸引できれば、全て若しくはいずれかの一部がカバーや被膜で覆われるものであってもよい。
【００４６】
また、＋側ソケットコンタクト１１の接触部１１ｂは、上方から＋側プラグピン２１が当接して弾性接触する構成で説明したが、−側ソケットコンタクト１２の接触部１２ｂと同様に、接触部１１ｂが＋側プラグ挿入孔１３の側方から＋側プラグ挿入孔１３内に突出し、＋側プラグピン２１に摺動接触する形状であってもよい。
【産業上の利用可能性】
【００４７】
本発明は、アーク放電が発生する恐れのあるプラグピンとソケットコンタクト間が活線接続するソケットのアーク放電防止構造に適している。
【符号の説明】
【００４８】
１  ソケットのアーク放電防止構造
２  ＋側永久磁石
３  −側永久磁石
１０  ソケット
１１  ＋側ソケットコンタクト
１１ｂ  接触部
１２  −側ソケットコンタクト
１２ｂ  接触部
１３  ＋側プラグ挿入孔
１４  −側プラグ挿入孔
１５  ソケットハウジング
２０  プラグ
２１  ＋側プラグピン
２２  −側プラグピン
【図１】
2018055994.tif 000003
【図２】
2018055994.tif 000004
【図３】
2018055994.tif 000005
【図４】
2018055994.tif 000006